(57)【要約】【課題】  読取り位置の背景色を切替えると共に、回転して原稿を搬送する背景ローラを備えた画像読取装置を提供する。【解決手段】  原稿を読取る画像読取装置において、白基準データ取得時には読取り位置の背景色を白基準色となし、原稿搬送時には読取り位置の背景色を黒色となすと共に、回転して原稿を搬送する背景ローラと、白基準データ取得時には読取り位置の背景色を白基準色に切替え、原稿搬送時には読取り位置の背景色を黒色に切替えるように前記背景ローラを制御する制御手段とを備えた。【選択図】  図２
2006311014.tif 000002
【特許請求の範囲】
【請求項１】
原稿を読取る画像読取装置において、
白基準データ取得時には読取り位置の背景色を白基準色となし、原稿搬送時には読取り位置の背景色を黒色となすと共に、回転して原稿を搬送する背景ローラと、
白基準データ取得時には読取り位置の背景色を白基準色に切替え、原稿搬送時には読取り位置の背景色を黒色に切替えるように前記背景ローラを制御する制御手段と、
を備えたことを特徴とする画像読取装置。
【請求項２】
前記背景ローラは、円筒状の外側ローラに円筒状の内側ローラが挿嵌されてなり、前記外側ローラは、その周面の一部が軸方向全体に渡る黒色面と他の一部が軸方向全体に渡る透過面とで形成され、前記内側ローラは、その周面の一部が軸方向全体に渡る白基準色面と他の一部が軸方向全体に渡る黒色面とで形成された請求項１記載の画像読取装置。
【請求項３】
前記制御手段は、白基準データ取得時には、前記外側ローラの透過面を読取り位置に付合させると共に、前記内側ローラの白基準色面を前記外側ローラの透過面の位置に付合させる請求項２記載の画像読取装置。
【請求項４】
前記制御手段は、原稿搬送時には、前記外側ローラの透過面を読取り位置に付合させると共に、前記内側ローラの黒色面を前記外側ローラの透過面の位置に付合させた後、前記外側ローラを回転させる請求項２記載の画像読取装置。
【発明の詳細な説明】
【技術分野】
【０００１】
本発明は、画像読取装置に関し、特に、読取り機構にダメージを与えず、適正な読取りデータを取得することができる画像読取装置に関する。
【背景技術】
【０００２】
ＣＩＳ（Contact Image Sensor）を備えた画像読取装置においては、センサの読取り位置に白基準色のローラを配設して、白基準データ取得時にその白基準色面を読取り、読取って取得した白基準データをシェーディング補正に利用する。
【０００３】
読取り位置の背景色は、原稿搬送時でも白基準色であるため、例えば、両面に文書、画像等が印字され、厚みが薄い原稿を搬送しながら読取った場合、一方の面を読取ると、他方の面が透かした状態で写り込み、裏写りが発生する。
【０００４】
このような裏写りの問題を解消すべく、従来、センサの読取り位置に配設されたローラ（以下、背景ローラという）を白基準色面と黒色面とで切替えることができる構成にし、白基準データ取得時には背景色を白基準色に切替え、原稿搬送時には背景色を黒色に切替える画像読取装置が提案されている。
【０００５】
この画像読取装置は、背景色を白基準色に切替えることで、白基準データの取得を可能とし、背景色を黒色に切替えることで、裏写りを防止している（特許文献１参照）。
【特許文献１】特開２００３−３４８３０１号公報
【発明の開示】
【発明が解決しようとする課題】
【０００６】
しかしながら、上述した従来の技術では、背景ローラは、センサの読取り位置の背景色を白基準色と黒色とに切替えるという目的を果たしてはいるが、原稿搬送時には、回転を停止した状態であるため、原稿を搬送するというローラが本来果たすべき目的を果たしていない。
【０００７】
そのため、搬送されてくる原稿が背景ローラに接触すると、静的な状態の背景ローラに、動的な状態の原稿が接触することとなり、背景ローラの周面やセンサのガラス面等の読取り機構にダメージを与えて傷を付け、付いた傷が読取りデータを毀損する。
【０００８】
そこで、上記問題に鑑み、読取り位置の背景色を切替えると共に、回転して原稿を搬送する背景ローラを備えた画像読取装置を提供することを目的とする。
【課題を解決するための手段】
【０００９】
本発明は、原稿を読取る画像読取装置を前提としている。本発明は、白基準データ取得時には読取り位置の背景色を白基準色となし、原稿搬送時には読取り位置の背景色を黒色となすと共に、回転して原稿を搬送する背景ローラと、白基準データ取得時には読取り位置の背景色を白基準色に切替え、原稿搬送時には読取り位置の背景色を黒色に切替えるように前記背景ローラを制御する制御手段とを備えた構成としている。
【００１０】
このようにすれば、読取り位置の背景色を切替えると共に、回転して原稿を搬送する背景ローラを備えたため、読取り機構にダメージを与えず、適正な読取りデータを取得することができる。
【００１１】
なお、前記背景ローラは、円筒状の外側ローラに円筒状の内側ローラが挿嵌されてなり、前記外側ローラは、その周面の一部が軸方向全体に渡る黒色面と他の一部が軸方向全体に渡る透過面とで形成され、前記内側ローラは、その周面の一部が軸方向全体に渡る白基準色面と他の一部が軸方向全体に渡る黒色面とで形成された構成としてもよい。
【００１２】
また、前記制御手段は、白基準データ取得時には、前記外側ローラの透過面を読取り位置に付合させると共に、前記内側ローラの白基準色面を前記外側ローラの透過面の位置に付合させる構成としてもよい。
【００１３】
このようにすれば、白基準データ取得時には、読取り位置の背景色を白基準色にすることができるため、適正な白基準データを取得することができる。
【００１４】
また、前記制御手段は、原稿搬送時には、前記外側ローラの透過面を読取り位置に付合させると共に、前記内側ローラの黒色面を前記外側ローラの透過面の位置に付合させた後、前記外側ローラを回転させる構成としてもよい。
【００１５】
このようにすれば、原稿搬送時には、読取り位置の背景色を黒色にすることができるため、適正な原稿読取りデータを取得することができる。
【発明の効果】
【００１６】
読取り位置の背景色を切替えると共に、回転して原稿を搬送する背景ローラを備えたため、読取り機構にダメージを与えず、適正な読取りデータを取得することができる。
【発明を実施するための最良の形態】
【００１７】
以下、本発明の実施の形態を図面にしたがって詳細に説明する。
【００１８】
図１は、本発明の実施の形態における画像読取装置１００を示す概略図であり、図２は、本発明の実施の形態における画像読取装置１００を示す概略機能ブロック図である。また、図３は、本発明の実施の形態における画像読取装置１００の動作を示すフロー図である。
【００１９】
本発明の実施の形態における画像読取装置１００は、円筒状の背景ローラ１が機枠に取付けられ、その上方に平行に隣接して機枠に直方体形状のＣＩＳ（Contact Image Sensor）２が取付けられている。
【００２０】
図４に示すように、上記ＣＩＳ２の箱体２ａの内部には、ランプ２ｂ、セルフォックスレンズ２ｃ、読取りセンサ２ｄを備え、上記ランプ２ｂで原稿を照射し、その反射光を上記セルフォックスレンズ２ｃで結像して、当該結像した反射光を読取りセンサ２ｄで読取る構成としている。
【００２１】
上記画像読取装置１００は、上記ＣＩＳ２の画素感度ばらつきや、光源、光学系の特性による明暗のばらつきを補正するために、背景ローラ１を読取って取得した白基準データをもとにシェーディング補正を行う。
【００２２】
図５、図６、図７に示すように、上記背景ローラ１は、円筒状の外側ローラ３に円筒状の内側ローラ４が挿嵌されてなり、当該外側ローラ３は、その周面の一部が軸方向全体に渡る黒色面３ａと他の一部が軸方向全体に渡る透過面３ｂとで形成され、当該内側ローラ４は、その周面の一部が軸方向全体に渡る白基準色面４ａと他の一部が軸方向全体に渡る黒色面４ｂとで形成している。
【００２３】
上記外側ローラ３は、上記透過面３ｂを読取り位置に付合させるホームポジションを有し、上記内側ローラ４は、上記白基準色面４ａを読取り位置に付合させる白基準色ポジション、上記黒色面４ｂを読取り位置に付合させる黒色ポジションを有する。
【００２４】
上記外側ローラ３、内側ローラ４は、それぞれ別個に備えられる第１のステッピングモータ５、第２のステッピングモータ６によって駆動されて回転し、制御手段７の制御信号により、当該外側ローラ３をホームポジションに付合させ、当該内側ローラ４を白基準色ポジション、或いは黒色ポジションに付合させて、読取り位置の背景色を白基準色、或いは黒色に切替える。
【００２５】
上記外側ローラ３及び内側ローラ４をポジショニングする方法としては、ローラの端部側面のそれぞれのポジションに対応する位置に、それぞれのポジションに対応する色の付いた反射板８ａ、９ａ、９ｂを配設し、当該ローラの端部側面近傍の機枠に配設された第１の光センサ８が反射板８ａ、第２の光センサ９が反射板９ａ、９ｂの色を検知することで、ポジショニングを行う。
【００２６】
例えば、ホームポジションに対応する反射板８ａの色を赤色とした場合、上記外側ローラ３が回転しているときに、上記第１の光センサ８が赤色を検知したら、当該外側ローラ３の回転を停止させて、ホームポジションに付合させる。
【００２７】
上記ホームポジションの場合と同様に、例えば、白基準色ポジションに対応する反射板９ａの色を青色とした場合、上記内側ローラ４が回転しているときに、上記第２の光センサ９が青色を検知したら、当該内側ローラ４の回転を停止させて、白基準色ポジションに付合させる。
【００２８】
また、例えば、黒色ポジションに対応する反射板９ｂの色を緑色にした場合、上記内側ローラが回転しているときに、上記第２の光センサ９が緑色を検知したら、当該内側ローラ４の回転を停止させて、黒色ポジションに付合させる。なお、反射板の色は任意の色を各ポジションに対応させてよい。
【００２９】
以下では、図３に従って、上記構成の画像読取装置１００の動作について説明する。
【００３０】
ユーザが、原稿を原稿台にセットし（Ｓ１）、スタートキー１０を押下すると（Ｓ２）、制御手段７は、上記外側ローラ３をホームポジションに付合させると共に（Ｓ３）、上記内側ローラ４を白基準色ポジションに付合させる（Ｓ４）。
【００３１】
上記のように白基準色ポジションに付合した内側ローラ４の白基準色面４ａを上記ＣＩＳ２が読取り、白基準データを取得すると（Ｓ５）、上記制御手段７は、上記内側ローラ４を黒色ポジションに付合させた後（Ｓ６）、上記外側ローラ３を回転させる。
【００３２】
上記のように外側ローラ３を回転させることで、読取り位置の背景色を黒色にしたまま、上記外側ローラ３が原稿を搬送し（Ｓ７）、上記ＣＩＳ２が搬送される原稿を読取り、原稿読取りデータを取得した後（Ｓ８）、シェーディング補正を行う（Ｓ９）。
【００３３】
このようにすれば、読取り位置の背景色を切替えると共に、回転して原稿を搬送する背景ローラを備えたため、読取り機構にダメージを与えず、適正な読取りデータを取得することができる。
【００３４】
更に、白基準データ取得時には、読取り位置の背景色を白基準色にすることができるため、適正な白基準データを取得することができる。
【００３５】
加えて、原稿搬送時には、読取り位置の背景色を黒色にすることができるため、適正な原稿読取りデータを取得することができる。
【００３６】
なお、上記実施の形態では、反射板と光センサにて位置を検知して、ポジショニングを実現する構成で説明したが、これに限らず、接触センサにて位置を検知して、ポジショニングを実現する構成としてもよいし、ローラの回転角度から位置を算出して、ポジショニングを実現する構成としてもよい。
【００３７】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３８】
このようにすれば、読取り位置の背景色を切替えると共に、回転して原稿を搬送する背景ローラを備えたため、読取り機構にダメージを与えず、適正な読取りデータを取得することができる画像読取装置として有用である。
【図面の簡単な説明】
【００３９】
【図１】本発明の実施の形態における画像読取装置を示す概略図である。
【図２】本発明の実施の形態における画像読取装置を示す概略機能ブロック図である。
【図３】本発明の実施の形態における画像読取装置の動作を示すフロー図である。
【図４】読取り機構を示す概略拡大図である。
【図５】背景ローラを示す概略斜視図である。
【図６】背景ローラを示す概略断面図である。
【図７】背景ローラを示す概略Ａ−Ａ'断面図である。
【符号の説明】
【００４０】
１  背景ローラ
２  ＣＩＳ
２ａ  箱体
２ｂ  ランプ
２ｃ  セルフォックスレンズ
２ｄ  読取りセンサ
３  外側ローラ
３ａ  黒色面
３ｂ  透過面
４  内側ローラ
４ａ  白基準色面
４ｂ  黒色面
５  第１のステッピングモータ
６  第２のステッピングモータ
７  制御手段
８  第１の光センサ
８ａ  反射板
９  第２の光センサ
９ａ  反射板
９ｂ  反射板
１０  スタートキー
１００  画像読取装置
【図１】
2006311014.tif 000003
【図２】
2006311014.tif 000004
【図３】
2006311014.tif 000005
【図４】
2006311014.tif 000006
【図５】
2006311014.tif 000007
【図６】
2006311014.tif 000008
【図７】
2006311014.tif 000009